(57)【要約】【課題】配置スペースの限られる遊技機にあって、広い再生周波数帯域を有し臨場感あふれた立体的な効果音を再生可能な音響装置を提供する。【解決手段】スピーカ４１から前方に発生された効果音が左右側方に拡散することを防止する前方音室５５と、スピーカ４１から後方に発生された効果音が拡散することを防止する後方音室５３と、前方音室５５と後方音室５３とを連通させるダクト４４と、前方音室５５に発せられた効果音を遊技機の前方に導いて前方に射出させる前方導出路５６と、前方音室５５に発せられた効果音を遊技機の下方に導いて下向きに射出させる下方導出路５７とを備えて遊技機の音響装置を構成する。【選択図】  図１１
2004167155.tif 000002
【特許請求の範囲】
【請求項１】
遊技の展開状況に応じて効果音を発生させるスピーカを備えた遊技機の音響装置であって、
前記スピーカの前方に形成され、前記スピーカから前方に発生された効果音が左右側方に拡散することを防止する前方音室と、
前記スピーカの後方に形成され、前記スピーカから後方に発生された効果音が拡散することを防止する後方音室と、
前記前方音室と前記後方音室とを連通させるダクトと、
前記前方音室に発せられた効果音を遊技機の前方に導いて前方に射出させる前方音声導出路と、前記前方音室に発せられた効果音を前記遊技機の下方に導いて下向きに射出させる下方音声導出路と
を備えたことを特徴とする遊技機の音響装置。
【発明の詳細な説明】
【０００１】
【発明の属する技術分野】
本発明は、遊技の展開状況に応じて効果音を発生させるスピーカを備えた遊技機の音響装置に関する。
【０００２】
【従来の技術】
上記のような音響装置を備えた遊技機としてパチンコ機やアレンジボール機、雀球遊技機などがある。この種の遊技機の代表例とされるパチンコ機では、上球皿やその背後に位置する遊技補助盤と称される盤体の所要位置にスピーカが取り付けられ、ゲームの展開状況や不具合の発生状況に応じて様々な音色の音楽や音声等の効果音を発生させるように構成されている（例えば、特許文献１，特許文献２を参照）。
【０００３】
【特許文献１】
特開平４−２０８１８１号公報（第５−７頁、第１−３図）
【特許文献２】
特開平６−２３０９８号公報（第９−１１頁、第３−第５図）
【０００４】
【発明が解決しようとする課題】
しかしながら、従来の遊技機では、画像表示装置やランプ等による視覚的効果が重視される一方で効果音等による聴覚的効果に対する評価が低く、これに起因して、効果音を発生させる音響装置についても、小型のスピーカが上球皿や遊技補助盤における空きスペースに取り付けられ、上球皿に一体成型されたガード用のグリルを介して前方の遊技者に直接発せられるような簡易的な形態のものであった。このため、従来の効果音は単にスピーカが鳴っている程度の貧弱なものであり、ゲーム展開を盛り上げるような音場空間を形成することが困難であるという問題があった。
【０００５】
また、一般に、スピーカが取り付けられる上球皿や遊技補助盤には、遊技球を１球ずつ発射させるための種々の遊技機構成部品が配設されており、限られたスペースで豊かな音場空間を形成できるような音響装置を設けることが困難であると考えられていた。
【０００６】
本発明は上記課題に鑑みてなされたものであり、一つのスピーカで臨場感にあふれ、かつ立体的な音場空間を形成可能な音響装置を提供することを目的とする。
【０００７】
【課題を解決するための手段】
上記課題を解決するため、本発明は、遊技の展開状況に応じて効果音を発生させるスピーカを備えた遊技機において、スピーカの前方に形成されてスピーカから前方に発生された効果音が左右側方に拡散することを防止する前方音室と、スピーカの後方に形成されてスピーカから後方に発生された効果音が拡散することを防止する後方音室（例えば、実施形態におけるスピーカ収容室５１および後方音室５３）と、前方音室と後方音室とを連通させるダクトと、前方音室に発せられた効果音を遊技機の前方に導いて前方に射出させる前方音声導出路（例えば、実施形態における前方導出路５６）と、前方音室に発せられた効果音を遊技機の下方に導いて下向きに射出させる下方音声導出路（例えば、実施形態における下方導出路５７）とを備えて遊技機の音響装置を構成する。
【０００８】
このような構成の音響装置によれば、スピーカの後側に後方音室が形成され、スピーカの前方に形成された前方音室とダクトで接続される。すなわちスピーカの後側に形成される後方音室はエンクロージャを形成し、このエンクロージャに設けられたダクトによってバスレフ型スピーカが構成される。また、スピーカの前面と並ぶエンクロージャの前方壁面には必要に応じて所要の遊技構成部品を取り付けることもできる。これにより、中高音域に偏重して甲高い再生音しか再生できなかった従来の音響装置に対して、広い再生周波数帯域を有し臨場感あふれた効果音を再生可能な音響装置を提供することができる。
【０００９】
また、こうして遊技時に前方音室に発せられた効果音は、前方音声導出路を通して導かれた効果音が球皿構造体から前方に射出され、下方音声導出路を通して導かれた効果音が球皿構造体から下向きに射出される。このため、臨場感あふれる効果音で上下方向に広がりのある立体的な音場空間を形成させることが期待できる。また、一般的に、球皿構造体の下方（幕板の前方）には球貯留箱を載置するテーブルが設けられており、球皿構造体から下向きに射出された効果音はこのテーブルに反射し、あるいは球貯留箱に貯留された遊技球に乱反射されてさらに立体的且つ複雑な音場を形成する。従って、本構成によれば一つのスピーカで臨場感あふれ且つ複雑な音場空間を形成可能な音響装置を提供することができる。
【００１０】
【発明の実施の形態】
以下、本発明の好ましい実施形態について、好適な実施例を挙げて添付図面を参照しながら詳細に説明する。なお実施例では、前枠の正面奥部に遊技盤が収容保持されたパチンコ機に本発明を適用した場合を主として説明する。
【００１１】
まず、本実施例のパチンコ機ＰＭの概要構成を図１〜図３の各図を参照して要約説明する。ここで、図１はパチンコ機ＰＭの正面図、図２はパチンコ機ＰＭの背面図、図３はガラス扉５および球皿６を開放して遊技盤１０を取り外した状態におけるパチンコ機ＰＭの正面図を示している。
【００１２】
パチンコ機ＰＭは外郭方形枠サイズに構成されて縦向きの固定保持枠をなす外枠１の開口前面に、これに合わせた方形枠サイズに構成されて開閉搭載用の前枠２が互いの正面左側上下に配設されたヒンジ機構３ａ，３ｂで横開き開閉および着脱が可能に取り付けられ、正面右側に設けられたダブル錠と称される施錠装置４を利用して常には外枠１と係合された閉鎖状態に保持される。
【００１３】
前枠２の前面側には、前枠２の前面域に合わせた方形状のガラス扉５および球皿６が正面左側に設けられたヒンジ機構７ａ，７ｂ，７ｃを利用して横開き開閉および着脱可能に組付けられ、正面右側の施錠装置４および詳細図示省略するロック機構により前枠２の前面を覆う閉鎖状態に保持される。球皿６の右側下部には遊技球の発射操作を行う操作ハンドル８が取り付けられている。前枠２の上部には方形枠状の収容枠２ａが凹設されており、この収容枠２ａに設けられた複数のレバーＬ１，Ｌ１…を利用して遊技盤１０が着脱可能にセット保持され、常には閉鎖保持されるガラス扉５の背後に位置して正面の遊技領域ＰＡを遊技者に臨ませている。
【００１４】
前枠２の裏面側には、中央に前後連通する窓口を有して前枠２よりもやや小型の方形枠状に形成された裏セット盤３０が、前枠２の裏面に設けられた複数のレバーＬ２，Ｌ２…を利用して着脱可能にセット保持される。裏セット盤３０の各部には遊技球を貯留する球貯留タンク３１、タンクレール３２、整列待機通路３３、賞球カセット３４、賞球排出通路３５などの賞球装置が装備されるとともに、裏面各部に電源基盤３７や主制御基板３８等の各種回路基盤および電子部品等が取り付けられ、これらの各機器および遊技盤１０の裏面に取り付けられた画像制御基板１８が図示省略するワイヤーハーネスで接続されている。
【００１５】
収容枠２ａの下側に位置する前枠２の下部領域には遊技補助盤と称される補助機構部が形成されており、この遊技補助盤２０の各部に、打球発射装置２１、裏セット盤３０側の賞球排出通路３５と繋がり球皿６に排出できない遊技球を一時貯留する貯留カセット２５、貯留カセット２５の出口に設けられた枠側シャッタ機構２７、後に詳述する音響装置４０などが設けられている。
【００１６】
パチンコ機ＰＭは、前枠２、ガラス扉５および球皿６がともに閉止され施錠された状態で遊技に供され、球皿６に遊技球を貯留させて操作ハンドル８を回動操作することにより遊技が開始される。操作ハンドル８が回動操作されると、球皿６に貯留された遊技球が打球発射装置２１により１球ずつ遊技盤１０の遊技領域ＰＡに打ち出され、以降パチンコゲームが展開される。
【００１７】
以上のように概要構成されるパチンコ機ＰＭにあって、遊技補助盤２０およびその前方を覆う球皿６に音響装置４０が設けられている。
【００１８】
以下、図４〜図９の各図を参照して、まず遊技補助盤２０および球皿６の構成について説明する。ここで、図４は図１中の矢印ＩＶ−ＩＶ方向に見たパチンコ機ＰＭの平断面図、図５は球皿６を取り外した状態で示す遊技補助盤２０の正面図、図６は遊技補助盤２０を前枠２の裏面側から見た背面図、図７は球皿６の正面図、図８は球皿６の背面図、図９は後述するあて板６１を取り外して球皿６の内部構造を略示する背面図である。
【００１９】
遊技補助盤２０の左下部には打球発射装置２１が取り付けられている。打球発射装置２１はユニット化されており、基板となるベースプレートの背面側にロータリーソレノイド２１ａおよびその制御回路が、前面側にハンマ２１ｂ、クッションゴム２１ｃ，２１ｄ、発射球ホルダ２１ｅなどが取り付けられて、前枠２の裏面側から遊技補助盤２０の左下部にネジ固定される。
【００２０】
遊技補助盤２０の左上部には、打球発射装置２１により打ち出された遊技球を遊技盤１０に導く発射レール２２が設けられ、発射レール２２の上端開口の左右には遊技領域ＰＡに到達できずに戻ってきたファール球を回収するファール球回収経路２３が形成されている。
【００２１】
遊技補助盤２０の上部は、盤面が後方に張り出されて断面視凹状のカセット収容部２４が形成され（図５中のＸＩＩＩ−ＸＩＩＩ矢視断面を示す図１３、および図５中のＸＶ−ＸＶ矢視断面を示す図１５を参照）、このカセット収容部２４に貯留カセット２５が収容される。貯留カセット２５は、透明樹脂材料を加工成型して底辺斜面状の箱状体に形成されており、左側面に開口するファール球受容口で上述したファール球回収経路２３と繋がり、左上面に開口する賞球受容口で裏セット盤の賞球排出通路３５と繋がり、さらに右端前面に開口する球出口２５ａで閉鎖状態にある球皿６の通出口６１ａと繋がって、球皿６に排出しきれない遊技球を一時貯留するように構成されている。貯留カセット２５は、シャッタ機構取付部２８に上下方向にスライド移動可能に設けられたロックレバー２６により、カセット収容部２４に収容されたセット状態で係止保持される（図５中のＸＩ〜矢視断面を示す図１１、および図１５を参照）。
【００２２】
遊技補助盤２０の右側には、貯留カセット２５の球出口２５ａと位置整合して枠側シャッタ機構２７が設けられている。枠側シャッタ機構２７は、球皿６の開閉操作と連動して昇降変位する枠側シャッタブレード２７ａを備えており、球皿６が横開き開放されたときに枠側シャッタブレード２７ａが図５中に二点鎖線で付記するように上昇して貯留カセットの球出口２５ａを塞ぎ、貯留カセット２５内に貯留された遊技球がこぼれ落ちないようになっている。
【００２３】
一方、常には遊技補助盤２０の前面を覆って閉鎖保持される球皿６は、この構造体のベースプレートとなるあて板６１、遊技球を貯留する皿部材６２、前方に張り出し成型され、あて板６１および皿部材６２の前方を覆う外郭カバー体６３，６４、あて板と外郭カバー体との間の球皿内部に設けられた通路部材６５などを主要構造部材とし、各部に種々の機構装置が装備されて構成される。
【００２４】
遊技補助盤２０と対峙するあて板６１の背面には、上述した遊技補助盤側の各機構に対応した機構装置が装備される。すなわち、打球発射装置２１に対応して球送りカセット７１が、貯留カセット２５に対応して貯留カセット透視窓７５が、枠側シャッタ機構２７に対応して球皿側シャッタ機構７７が、それぞれ設けられている。
【００２５】
球送りカセット７１は、遊技補助盤２０の正面図を示す図５中に二点鎖線で付記するように、球皿６の閉鎖姿勢において打球発射装置２１の直前に位置して配設される。皿部材６２には球皿部に貯留された遊技球を一列に整列させて球送りカセット７１に案内する案内通路７２が形成されており、この案内通路７２に整列待機された遊技球が、常には閉鎖保持される第２シャッタ８２ｂの上方に開口するカセット入り口７２ｂから球送りカセット７１に導かれる。球送りカセット７１の作動は、打球発射装置２１におけるロータリーソレノイド２１ａの作動と同期制御されており、操作ハンドル８の回動操作に基づいて打球発射装置２１から遊技球が発射されるごとに、１球ずつ遊技球を発射球ホルダ２１ｅに送り出す。
【００２６】
貯留カセット透視窓７５は、球皿６の閉鎖姿勢において遊技補助盤２０にセット保持された貯留カセット２５の直前に位置して設けられる（図１３および図１５を併せて参照）。貯留カセット透視窓７５は、透明樹脂材料を用いて射出成型等の成形手段で一体成型され、ネジ等の固定手段によりあて板６１の背面側から固定される。これにより、球皿６の背後に位置する貯留カセット２５の内部の状態をこの透視窓７５を通してパチンコ機ＰＭの正面から確認できるようになっている。
【００２７】
球皿側シャッタ機構７７は、球皿６の閉鎖姿勢において貯留カセット２５の球出口２５ａと位置整合し、貯留カセット２５を介して払い出された賞球等を皿部材６２に排出させる通出口６１ａに設けられている。球皿側シャッタ機構７７は、球皿６の開閉操作と連動して昇降変位する皿側シャッタブレード７７ａを備えており、球皿６が横開き開放されたときに皿側シャッタブレード７７ａが上昇して通出口６１ａを塞ぎ、皿部材６２に貯留された遊技球が球皿６の背後にこぼれ落ちないようになっている。すなわち、既述した枠側シャッタ機構２７と球皿側シャッタ機構７７とは各々のシャッタブレード２７ａ，７７ａが対向して配設され、両者が球皿６の開閉に連動してともに昇降変位することで、貯留カセット２５あるいは球皿６に遊技球が貯留された状態で球皿を開閉しても、遊技球がこぼれ落ちないように構成されている。
【００２８】
球皿６の内部には、皿部材６２に貯留された遊技球を回収する球抜き機構が設けられている。球抜き機構は、皿部材６２に貯留された遊技球を短時間で排出させる第１球抜き機構８１と、主として第１球抜き機構８１による球抜き後に案内通路７２に残留した遊技球を排出させる第２球抜き機構８２とからなる。
【００２９】
第１球抜き機構８１は、皿部材６２の上面に形成された直径３ｃｍ程度の球抜き口６２ｂ、球抜き口６２ｂに揺動開閉可能に設けられ常には球抜き口６２ｂを塞ぐ閉鎖位置に付勢保持された第１シャッタ８１ｂ、第１シャッタ８１ｂの直下に形成された第１球抜き路７３、第１シャッタの開閉操作を行う第１球抜きボタン８１ａ、上部に開口を有して第１球抜き路７３と繋がり、背面視における右側部に開口を有して次述する第２球抜き路７４と繋がり、これらの球抜き路７３，７４に排出された遊技球を球皿６の下面中央部に形成された出口開口５９に導く下方導出路５７が形成された通路部材６５などを主体として構成される。
【００３０】
一方、第２球抜き機構は、案内通路７２の下流側に設けられており、案内通路７２におけるカセット入り口７２ｂの下側でＶ字状に折り返され下流端の合流口７４ｂで下方導出路５７に繋がる第２球抜き路７４、案内通路７２と第２球抜き路７４との間に揺動開閉可能に設けられ、常には両通路の連絡を遮断して案内通路７２内の遊技球をカセット入り口７２ｂに導く第２シャッタ８２ｂ、第２シャッタの開閉操作を行う第２球抜きボタン８２ａ、上記した通路部材６５等を主体として構成される。
【００３１】
第１球抜きボタン８１ａおよび第２球抜きボタン８２ａは、ともに球皿正面に隣接して設けられており、付勢力に抗して第１球抜きボタン８１ａを押し込んだときに第１シャッタ８１ｂが揺動待避して球抜き口６２ｂが開放され、皿部材６２に貯留された遊技球が第１球抜き路７３および下方導出路５７を流下して、球皿下面の出口開口５９から排出される。また付勢力に抗して第２球抜きボタン８２ａを押し込んだときに第２シャッタ８２ｂが揺動待避して案内通路７２と第２球抜き路７４とが連通され、案内通路７２に位置する遊技球が第２球抜き路７４および下方導出路５７を流下して出口開口５９から排出される。このため、遊技者は遊技島に設置されたテーブル上に球貯留箱を載置して第１球抜きボタン８１ａを押圧操作し、また第２球抜きボタン８２ａを押圧操作することで、球皿６に貯留された遊技球を全量排出させることができる。
【００３２】
なお、あて板６１には、通路部材６５に形成された下方導出路５７の通路形状に合わせて通路開口が形成されており、この通路開口を覆って通路カバー６６が揺動開閉可能に取り付けられている。これにより、第１球抜き路７３を含む下方導出路５７の清掃や保守点検、あるいは下方導出路５７内に遊技球が詰まった場合の球抜き処置等が容易に行えるようになっている。通路カバー６６は、常にはこの通路カバー６６に形成されたロック爪６６ｃと、あて板６１に形成された係止スリットとの係合により閉鎖状態に保持される（図１２を参照）。
【００３３】
さて、以上のように構成される遊技補助盤２０および球皿６にあって、それぞれの略中央部に音響装置４０が設けられている。以下、図１０〜図１９の各図を加えて参照しながら音響装置４０について説明する。
【００３４】
ここで、図１０は球皿６の中央部を拡大して示す背面図、図１１は図５中の矢印ＸＩ〜方向に見た遊技補助盤側の音響装置の構造を主として示す平断面図、図１２は図８中の矢印ＸＩＩ−ＸＩＩ方向に見た球皿側の音響装置の構造を示す平断面図、図１３は図５中のＸＩＩＩ−ＸＩＩＩ方向に見た遊技補助盤側の音響装置の構造を主として示す側断面図、図１４は図８中の矢印ＸＩＶ−ＸＩＶ方向に見た球皿６の側断面図、図１５は図５中の矢印ＸＶ−ＸＶ方向に見た遊技補助盤側の音響装置の構造を主として示す側断面図、図１６は図８中の矢印ＸＶＩ−ＸＶＩ方向に見た球皿６の側断面図である。
【００３５】
また、図１７〜図１９の各図は、スピーカベース４２にスピーカ４１がネジ固定されてサブアッセンブリ化されたスピーカアッセンブリを単体で表示しており、このうち、図１７はスピーカアッセンブリの正面図、図１８はスピーカアッセンブリの平面図（部分断面図）、図１９は図１７中の矢印ＸＩＸ−ＸＩＸに沿った側断面図である。
【００３６】
なお、図１１〜図１６の各断面図については、図１３と図１４の断面位置が整合し、図１５と図１６の断面位置が整合するように記載しており、各断面図の対（図１３と図１４、図１５と図１６）が前後に対応した位置関係となっている。また、球皿側の平断面図である図１２は、対応する遊技盤側の平断面図たる図１１と対比容易のため前後方向を一致させて表示している。以下、これらの各図を参照しながら、まず音響装置４０における遊技補助盤２０側の音響構造から説明する。
【００３７】
遊技補助盤２０側の音響構造は、スピーカ４１、スピーカ４１をマウントするとともにスピーカ収容室５１を形成させるスピーカベース４２、スピーカ収容室５１に隣接して取り付けられ後方音室５３を形成させるエンクロージャカバー４３、バスレフ効果を発揮させるダクト４４などから構成される
【００３８】
遊技補助盤２０の中央部は、カセット収容部２４と同様に盤面が後方に膨出成型されており（図１３を参照）、正面左側の打球発射装置２１、上側のカッセット収容部２４、右側のシャッタ機構取付部２８、および下側の前枠下縁に周囲を取り囲まれるように窪んだスピーカ収容部２９が形成されている。そして、このスピーカ収容部２９に、スピーカベース４２を介してスピーカ４１が取り付けられる。
【００３９】
スピーカベース４２は、図１７〜図１９に示すように、スピーカ４１をマウントするバッフルプレート４２１とスピーカ４１の左側部を覆うサイドカバー４２２とを主体として構成され、平面視において略Ｌ字状の形態に一体成型されている。バッフルプレート４２１の正面中央には、このプレート面を前後に連通する円形開口が形成され、その周囲にはスピーカフレームの固定孔と位置整合してスピーカ４１をネジ固定するためのネジ受容ボス４２３が形成されている。
【００４０】
スピーカ４１は、いわゆるコーン型のスピーカユニットであり、ユニットの骨組みをなすスピーカフレーム、振動板たるコーン、コーンを駆動するヴォイスコイルおよびマグネット等から構成される。スピーカフレームの前方にはコーンエッジの外周を取り巻くように平坦なフランジ部が形成され、このフランジ部にスピーカ４１を固定するための固定孔が形成されている。
【００４１】
スピーカ４１は、バッフルプレート４２１の背面側から円形開口の周縁にフランジ部を支持させ、スピーカフレームの固定孔をネジ受容ボス４２３に位置整合させて背後からネジを螺合締結させることでスピーカベース４２に取り付けられ、円形開口を通してコーン前面をバッフルプレート４２１の正面に臨ませる。なお、コーンの背後に位置するスピーカフレームには、実際には多くの開口が形成されてコーン背面がスピーカフレームの後方にも露出しているが、各図ではこの開口の記載を省略している。
【００４２】
バッフルプレート４２１の下端部は下方に延出されて係止辺部４２４が形成され、スピーカ収容部２９の下部に左右に延びて形成された係止スリット２９ａと係脱可能になっている。また、バッフルプレート４２１の上方には係止フック部４２５およびネジボス嵌合部４２６が形成され、それぞれスピーカ収容部２９の上方（カセット収容部２４とスピーカ収容部２９との間の凸部）に形成されたフック係合部２９ｂおよびネジボス２９ｃと嵌脱自在に係合して、スピーカベース４２をスピーカ収容部２９に位置決め係止可能に構成されている。
【００４３】
なお、バッフルプレート４２１は、係止辺部４２４を係止スリット２９ａに係合させ、係止フック部４２５およびネジボス嵌合部４２６をそれぞれフック係合部２９ｂおよびネジボス２９ｃに嵌合させてスピーカアッセンブリを係止させたときに、プレート部中央がシャッタ機構取付部２８の前面と略同一の前後方向位置に配設され、プレート面が所定角度前傾した配設姿勢になるように、係止辺部４２４や係止フック部４２５等に対して相対的に傾いた角度位置関係に形成されている。これにより、このバッフルプレート４２１に取り付けられたスピーカ４１が所定角度下向きに配設され、コーンから前方に発せられた効果音が下方導出路５７を通して出口開口から効率的に放射されるようになっている。
【００４４】
また、バッフルプレート４２１の右側方の下部には、前方に突出するカバー押さえ４２７が膨出成型されている。カバー押さえ４２７の前面には、左右および下辺が切り離されて前後に弾性変位可能な押圧片部４２７ａが形成されている。カバー押さえ４２７は、球皿６に取り付けられた通路カバー６６のロック爪６６ｃの上部領域と整合するように形成されており、球皿６が閉止されたときに押圧片部４２７ａが通路カバー６６の背面と係合して通路カバー６６を弾性的に押圧し、通路カバー６６の閉止状態を保持させる。これにより出口開口５９からセルやピアノ線、棒材等を挿入して通路カバー６６を押し開くような不正行為を未然に防止することができる。
【００４５】
サイドカバー４２２は、バッフルプレート４２１に固定されたスピーカ４１の左側方および上方の一部を覆うようにバッフルプレート４２１から後方に延びて形成されている。サイドカバー４２２の位置および形状は、上記のように係止辺部４２４、係止フック部４２５、ネジボス嵌合部４２６をそれぞれ係合させてスピーカベース４２を係止させたときに、スピーカ収容部２９を形成する周囲の壁面と整合するように成型されており、スピーカ収容部２９の左側壁を形成する仕切壁として機能する。
【００４６】
スピーカアッセンブリは、スピーカベース４２の係止辺部４２４をスピーカ収容部２９の係止スリット２９ａに係合させ、スピーカベース４２の係止フック部４２５およびネジボス嵌合部４２６をそれぞれスピーカ収容部２９のフック係合部２９ｂおよびネジボス２９ｃに嵌合接続させ、バッフルプレート４２１の前面側からネジボス嵌合部４２６にネジを挿通させてネジボス２９ｃに締め込むことで、スピーカ収容部２９に着脱可能に固定保持される。そして、このようにスピーカアッセンブリが固定保持されると、スピーカ４１の後方に周囲が壁面で取り囲まれたスピーカ収容室５１が形成される。
【００４７】
スピーカ収容室５１に隣接して後方音室５３が形成される。後方音室５３はシャッタ機構取付部２８の背面に取り付けられたエンクロージャカバー４３を主体として構成され、遊技補助盤２０におけるロックレバー２６や枠側シャッタ機構２７の背後に形成される。エンクロージャカバー４３は、図６および図１１に示すように、スピーカ収容部２９と略同一の奥行きを有しスピーカ収容室５１と接する側の側壁を欠いて左右に延びる蓋状体からなり、背面端部に形成された係止突起４３ａおよび下部壁面の前端縁部に形成されたスライド突起４３ｂでそれぞれスピーカ収容部２９およびシャッタ機構取付部２８に係止され、取付ネジ４８で遊技補助盤の裏面側に着脱可能に取り付けられる。
【００４８】
スピーカ収容部２９におけるスピーカ収容室５１と後方音室５３との間の壁面には開口５２が形成されており（図１５を参照）、この開口５２によりスピーカ収容室５１と後方音室５３とが連通されて、これら両室の内容積を合わせた大容積のエンクロージャ（スピーカボックス）が形成される。後方音室５３の内部にはシャッタ機構取付部２８から後方に突出する円筒形状のダクト４４が一体成型により形成され、その前端がシャッタ機構取付部２８の前面に開口してポート４４ｐが形成されている。これにより、再生周波数帯域を拡大し、特に低音域の周波数特性を拡大した本来のバスレフ効果を発揮させることができる本格的なバスレフ型スピーカが形成される。
【００４９】
ここで、バスレフ型スピーカの設計は基本的には公知の音響工学上の設計手法に基づいて行われ、具体的には、スピーカユニット４１の有効振動半径や振動系の実効質量、コーンのスティフネス等を基本パラメータとし、これらを公知の計算式に代入することでエンクロージャの容積、ポート４４ｐの開口面積、ダクト４４の長さ等を算出し、さらに再生音の周波数特性に基づいて各部に詳細なチューニングを施している。
【００５０】
このように遊技補助盤２０の中央部にスピーカ収容部２９を設けてスピーカ４１を配設することで、従来比１．５倍〜２倍の口径（有効振動半径）を有した大型のスピーカを搭載することができ、これにより広い周波数帯域の効果音を再生させることができる。さらに、遊技補助盤２０の背面側にスピーカ収容室５１と略同一の奥行きを有して左右に延びる大型のエンクロージャを形成させることで、必要にして充分な容積のエンクロージャを備えた本格的なバスレフ型スピーカを構成することができ、これによりスピーカ口径を単純に拡大するだけでは得られなかった低音域を再生して広帯域で臨場感あふれる効果音を再生することができる。
【００５１】
なお、スピーカベース４２やエンクロージャカバー４３、ダクト４４等は、用いるスピーカ４１の口径や再生しようとする周波数特性に応じて適宜変更することができる。例えば、打球発射装置２１とシャッタ取付部２８との間を繋いで、凹設されたスピーカ収容部２９全体を覆うようにスピーカベースを構成してもよく、エンクロージャ容積の調整のために側壁の一部を斜めに形成しているエンクロージャカバー４３の形状を変更し、あるいは内部に仕切壁を設ける等してエンクロージャ容積を拡大または縮小してもよい。さらに、ダクト４４については上記のような変更に伴ってポート４４ｐの開口径や長さを適宜に変更することができ、シャッタ機構取付部２８に着脱可能に構成することもできる。従って、例えばパチンコ機の機種ごとに異なるスピーカを用いながら、それぞれに最適化した音響装置を容易に構築することができる。
【００５２】
一方、球皿側の音響構造は、あて板６１から後方に突出成型されて前方音室５５を形成させる前方音室壁４５、外郭カバー体６３から後方に突出成型されて前方導出路５６を形成させる前方導出壁４６（４６ａ，４６ｂ，４６ｃ）、球抜き機構８１，８２の排出経路を兼用し下方導出路５７を形成させる通路部材６５などを主体として構成される。
【００５３】
前方音室壁４５は、あて板６１から後方に突出して一体成型された連続するリブ状の壁面４５ａ，４５ｂ，４５ｃ，４５ｄ，４５ｅ，４５ｆ，４５ｇ等からなり、バッフルプレート４２１の円形開口領域からポート４４ｐの開口領域の外周を取り囲んで遊技補助盤２０とあて板６１との間に前方音室５５を形成させ、スピーカ４１のコーンから前方に放出される効果音、およびダクト４４のポート４４ｐから前方に放出される効果音が上下または左右に拡散することを防止する。また前方音室壁４５は、出口開口５９や後述する音響グリル５８からセルやピアノ線等を挿入して遊技補助盤２０、遊技盤１０等の構成部品に悪戯する不正行為を防止する不正防止壁としても機能する。
【００５４】
このように周囲が取り囲まれた前方音室５５にあって、ポート４４ｐの前方に位置するあて板６１の板面には、前後に貫通する前方導出口６１ｈが設けられ、前方導出壁４６で囲まれた前方導出路５６と繋がっている。前方導出壁４６は、外郭カバー体６３から後方に突出して一体成型された壁面４６ａ，４６ｂ，４６ｃ等からなり、これらの壁面および通路部材６５の側壁面によって効果音を球皿６の前方に導く前方導出路５６を形成する。このため、前方音室５５に発せられた効果音のうち、主としてポート４４ｐから放出された低音域の効果音が前方導出口６１ｈおよび前方導出路５６を通って効率的に前方に導かれ、外郭カバー体６３の前面に形成されたルーバ状の音響グリル５８からパチンコ機前方に発せられる。
【００５５】
一方、スピーカ４１の前方には、既述した下方導出路５７における合流下降部が位置しており、スピーカ４１の正面にはこの合流下降部を覆う通路カバー６６の合流カバー部が位置している。合流カバー部には、カバー面を貫通して小径の透孔６６ｈが多数設けられており、このカバー面を挟んで前方の下方導出路５７に効果音を透過させる構成になっている。下方導出路５７における合流下降部は、図１４にこの領域の側断面図を示すように、斜め下方に延びる通路部材６５の天井面６５ｓと、当て板６１から斜め下方に張り出された膨出面６１ｓとによって前方に向けて傾斜しており、前方で鉛直に延びて球皿６の下面中央に形成された出口開口５９に繋がっている。
【００５６】
ここで、前述したように、スピーカベース４２におけるバッフルプレート４２１は下向きに傾斜しており、スピーカ４１が所定角度前傾した下向姿勢で配設される。上記下方通路５７の傾斜角度はスピーカ４１の傾斜角度と同一若しくはスピーカ４１の傾斜角度よりも大きく設定されている。
【００５７】
このため、前方音室５５に発せられた効果音のうち、主としてスピーカ４１から斜め下向きに放出された中高音域の効果音が多数の透孔６６ｈを通って下方導出路５７に放出され、この下方導出路５７で多重正面反射を繰り返すことなく効率的に下方に導かれて、球皿６の下面に形成された出口開口５９から下方に向けて発せられる。
【００５８】
従って、このような音響装置４０を備えたパチンコ機ＰＭでは、遊技補助盤２０の背後を利用して本格的なバスレフ型スピーカを構成することで、広い周波数帯域にわたって臨場感あふれた効果音が再生できるとともに、主として低音域の効果音が前方導出路５６に導かれて球皿前方の音響グリル５８からパチンコ機の前方に放出され、主として中高音域の効果音が下方導出路５７に導かれて球皿下面の出口開口５９から下向きに放出される。このため、臨場感にあふれつつ再生音域によって指向性が異なる効果音で、上下に広がりのある立体的な音場空間を形成させることができる。
【００５９】
また、出口開口５９から下向きに射出された効果音は、一般に球皿６の下方（幕板の前方）に設けられた遊技島のテーブルに反射し、あるいはこのテーブルに載置された球貯留箱内の遊技球に乱反射されて、さらに立体的且つ複雑な音場を形成する。従って、本構成によれば一つのスピーカで臨場感にあふれ且つ複雑で豊かな音場空間を形成することができる。
【００６０】
なお、以上説明した実施例では、通路カバー６６に小径の透孔６６ｈを多数設けて球抜き路と下方音声導出路とを共用することにより、簡明かつローコストな構成で複雑な音場空間を形成させる例を開示したが、透孔６６ｈに代えて不正行為を防止可能な範囲でグリッドやメッシュとしてもよく、球抜き路と別に独立した下方音声導出路を設けてもよい。また、下方導出路５７における球通路部材６５の天井面６５ｓは、第１球抜き路７３からの遊技球の流下を妨げない範囲で、この面の傾斜角をさらに大きく設定し、あるいは所定曲率をもったＲ状に形成してもよく、これによりスピーカ４１から放出された効果音をより効率的に出口開口５９に反射させることができる。
【００６１】
【発明の効果】
以上説明したように、本発明は、遊技の展開状況に応じて効果音を発生させるスピーカを備えた遊技機において、スピーカの前方に形成されてスピーカから前方に発生された効果音が左右側方に拡散することを防止する前方音室と、スピーカの後方に形成されてスピーカから後方に発生された効果音が拡散することを防止する後方音室と、前方音室と後方音室とを連通させるダクトと、前方音室に発せられた効果音を遊技機の前方に導いて前方に射出させる前方音声導出路と、前方音室に発せられた効果音を遊技機の下方に導いて下向きに射出させる下方音声導出路とを備えて遊技機の音響装置を構成する。
【００６２】
上記構成によれば、スピーカの後側に形成された後方音室とスピーカの前方に形成された前方音室とがダクトで接続されてバスレフ型スピーカが構成され、遊技時に前方音室に発せられた周波数帯域の広い効果音が、球皿構造体から前方と下方の２方向に射出される。このため、臨場感あふれる効果音で上下方向に広がりのある立体的な音場空間を形成させることが期待できる。また、スピーカの前面と並ぶエンクロージャの前方壁面には所要の遊技構成部品を取り付けることが可能である。さらに、球皿構造体から下向きに射出された効果音は、遊技島のテーブルに反射し、あるいはテーブル上に載置された球貯留箱内の遊技球に乱反射されてさらに立体的且つ複雑な音場を形成する。従って、本発明によれば、配置スペースの限られた遊技機にあっても、単一音源で再生周波数帯域が広く複雑な音場空間を形成可能な音響装置を提供することができる。
【図面の簡単な説明】
【図１】本発明に係る音響装置を備えた遊技機の一例として示すパチンコ機の正面図である。
【図２】上記パチンコ機の背面図である。
【図３】ガラス扉および球皿を開放し遊技盤を取り外した状態における上記パチンコ機の正面図である。
【図４】図１中の矢印ＩＶ−ＩＶ方向に見た上記パチンコ機の平断面図である。
【図５】球皿を取り外した状態で示す遊技補助盤の正面図である。
【図６】上記遊技補助盤を前枠の裏面側から見た背面図である。
【図７】球皿の正面図である。
【図８】上記球皿の背面図である。
【図９】あて板を取り外した状態で上記球皿の内部構造を略示する背面図である。
【図１０】上記球皿の中央部を拡大して示す背面図である。
【図１１】図５中の矢印ＸＩ〜方向に見た遊技補助盤側の音響装置の構造を主として示す平断面図である。
【図１２】図８中の矢印ＸＩＩ−ＸＩＩ方向に見た球皿側の音響装置の構造を示す平断面図である。
【図１３】図５中のＸＩＩＩ−ＸＩＩＩ方向に見た遊技補助盤側の音響装置の構造を主として示す側断面図
【図１４】図８中の矢印ＸＩＶ−ＸＩＶ方向に見た球皿の側断面図である。
【図１５】図５中の矢印ＸＶ−ＸＶ方向に見た遊技補助盤側の音響装置の構造を主として示す側断面図である。
【図１６】図８中の矢印ＸＶＩ−ＸＶＩ方向に見た球皿の側断面図である。
【図１７】スピーカアッセンブリの正面図である。
【図１８】上記スピーカアッセンブリの平面図（部分断面図）である。
【図１９】図１７中の矢印ＸＩＸ−ＸＩＸに沿った側断面図である。
【符号の説明】
ＰＡ  遊技領域
ＰＭ  パチンコ機
Ｌ１  レバー
Ｌ２  レバー
１  外枠
２  前枠（２ａ  収容枠）
３ａ，３ｂ  ヒンジ機構
４  施錠装置
５  ガラス扉
６  球皿
７ａ，７ｂ，７ｃ  ヒンジ機構
８  操作ハンドル
１０  遊技盤
１８  画像制御基板
２０  遊技補助盤
２１  打球発射装置（２１ａ  ロータリーソレノイド、２１ｂ  ハンマ、
２１ｃ，２１ｄ  クッションゴム、２１ｅ  発射球ホルダ）
２２  発射レール
２３  ファール球回収経路
２４  カセット収容部
２５  貯留カセット
２６  ロックレバー
２７  枠側シャッタ機構（２７ａ  枠側シャッタブレード）
２８  シャッタ機構取付部
２９  スピーカ収容部（２９ａ  係止スリット、２９ｂ  フック係合部、
２９ｃ  ネジボス）
３０  裏セット盤
３１  球貯留タンク
３２  タンクレール
３３  整列待機通路
３４  賞球カセット
３５  賞球排出通路
３７  電源基板
３８  主制御基板
４０  音響装置
４１  スピーカ
４２  スピーカベース
４３  エンクロージャカバー（４３ａ  係止突起、４３ｂ  スライド突起）
４４  ダクト（４４ｐ  ポート）
４５  前方音室壁（４５ａ〜４５ｇ  壁面）
４６  前方導出壁（４６ａ〜４６ｃ  壁面）
４８  取付ネジ
５１  スピーカ収容室
５２  開口
５３  後方音室
５５  前方音室
５６  前方導出路
５７  下方導出路
５８  音響グリル
５９  出口開口
６１  当て板（６１ｈ  前方導出口、６１ｓ  膨出面）
６２  皿部材（６２ｂ  球抜き口）
６３  外郭カバー体
６４  外郭カバー体
６５  通路部材（６５ｓ  天井面）
６６  通路カバー（６６ｃ  ロック爪、６６ｈ  透孔）
７１  球送りカセット
７２  案内通路（７２ｂ  カセット入り口）
７３  第１球抜き路
７４  第２球抜き路（７４ｂ  合流口）
７５  貯留カセット透視窓
７７  球皿側シャッタ機構（７７ａ  皿側シャッタブレード）
８１  第１球抜き機構（８１ａ  第１球抜きボタン、８１ｂ  第１シャッタ）
８２  第２球抜き機構（８２ａ  第２球抜きボタン、８２ｂ  第２シャッタ）
４２１  バッフルプレート
４２２  サイドカバー
４２３  ネジ受容ボス
４２４  係止辺部
４２５  係止フック部
４２６  ネジボス嵌合部
４２７  カバー押さえ（４２７ａ  押圧片部）
【図１】
2004167155.tif 000003
【図２】
2004167155.tif 000004
【図３】
2004167155.tif 000005
【図４】
2004167155.tif 000006
【図５】
2004167155.tif 000007
【図６】
2004167155.tif 000008
【図７】
2004167155.tif 000009
【図８】
2004167155.tif 000010
【図９】
2004167155.tif 000011
【図１０】
2004167155.tif 000012
【図１１】
2004167155.tif 000013
【図１２】
2004167155.tif 000014
【図１３】
2004167155.tif 000015
【図１４】
2004167155.tif 000016
【図１５】
2004167155.tif 000017
【図１６】
2004167155.tif 000018
【図１７】
2004167155.tif 000019
【図１８】
2004167155.tif 000020
【図１９】
2004167155.tif 000021